(57)【要約】【課題】十分な効率を発揮することができる車両用空調装置を提供する。【解決手段】車両用空調装置は、軸線Ａ１方向に延びる回動軸部４１、及び回動軸部４１から延びる板状の第一ダンパ本体４２を有するダンパ４と、内部にダンパ４を支持する軸受孔が形成されたユニットケースと、を備える。回動軸部４１は、軸線Ａ１の周方向の一部領域のみに設けられた鍔部４１Ｂを有し、第一ダンパ本体４２は、周方向一方側を向く第一ダンパ板面、周方向他方側を向く第二ダンパ板面を有する。ユニットケースの内側面には、第一ダンパ板面が周方向他方側から当接可能な突条３１を有する。突条３１の径方向内側の端部と軸受孔との径方向の間隔は、鍔部４１Ｂの径方向の寸法よりも小さい。【選択図】図５
2020011732.tif 000002
【特許請求の範囲】
【請求項１】
軸線方向に延びて該軸線方向の端部に挿入軸が形成された回動軸部、及び、該回動軸部から前記軸線の径方向に延びる板状をなす第一ダンパ本体を有するダンパと、
内部に前記ダンパが収容されて前記挿入軸が回動可能に挿入される軸受孔が形成された側壁部を有するユニットケースと、を備え、
前記回動軸部は、前記軸線の周方向の一部領域のみに設けられて前記挿入軸の基端から径方向外側に張り出す鍔部を有し、
前記第一ダンパ本体は、前記周方向一方側を向く第一ダンパ板面、前記周方向他方側を向く第二ダンパ板面、及び、前記鍔部の周方向一方側の端部から径方向外側に向かって延びるとともに前記鍔部と面一をなす第一ダンパ側端面を有し、
前記側壁部は、前記鍔部及び前記第一ダンパ側端面が前記軸線方向から当接可能な内側面、該内側面から前記軸線方向に突出して前記軸線の径方向に延びるとともに、前記第一ダンパ本体の前記第一ダンパ板面が前記周方向他方側から当接可能な突条を有し、
前記突条の前記径方向内側の端部と前記軸受孔との前記径方向の間隔が、前記鍔部の径方向の寸法よりも小さい車両用空調装置。
【請求項２】
前記ダンパは、
前記第一ダンパ本体に対して前記周方向に離間して設けられて、前記回動軸部から前記軸線の径方向に延びる板状をなす第二ダンパ本体を有し、
前記第二ダンパ本体は、
前記鍔部の周方向他方側の端部から径方向外側に向かって延びるとともに前記鍔部及び前記第一ダンパ側端面と面一をなす第二ダンパ側端面を有する請求項１に記載の車両用空調装置。
【請求項３】
前記突条は、
該突条の前記径方向外側の部分を構成する第一部分と、該突条の前記径方向内側の部分を構成して、前記第一部分からさらに径方向内側に向かうに従って前記周方向の一方側及び他方側のいずれかに向かって延びる第二部分とを有する請求項１又は２に記載の車両用空調装置。
【請求項４】
空気を冷却するエバポレータと、
空気を加熱するヒータコアと、
を備え、
前記ユニットケースは、前記エバポレータを収容する冷房空間、該冷房空間に接続されているとともに前記ヒータコアを収容する暖房空間、前記冷房空間及び前記暖房空間に接続されたエアミックス空間が内部に形成され、
前記ダンパが、前記ユニットケース内における前記冷房空間、前記暖房空間及びエアミックス空間の間に設けられて、最大冷房位置と最大暖房位置との間で回動することにより前記冷房空間及び前記暖房空間から前記エアミックス空間に導入される空気の割合を調整するエアミックスダンパである請求項１から３のいずれか一項に記載の車両用空調装置。 
【発明の詳細な説明】
【技術分野】
【０００１】
本発明は、車両用空調装置に関する。
【背景技術】
【０００２】
自動車等に用いられる車両用空調装置は、加熱用熱交換器であるヒータコアと、冷却用熱交換器であるエバポレータと、これらヒータコア及びエバポレータを通過した温風、又は冷風を混合するエアミックス空間と、このエアミックス空間内における温風と冷風との混合割合を変化させるエアミックスダンパと、を備えている。このような装置では、エアミックスダンパの回動量を調整することで、冷風と温風との混合の割合が変化して、所望の温度の風を得ることができる。
【０００３】
ところで、上記の装置では、車両内部の各座席に温度分布の均一な風を供給する上で、ヒータコア側とエバポレータ側との間における空気の漏れをエアミックスダンパによって一様に抑制することが肝要となる。すなわち、エアミックスダンパの各部でシール性に差がある場合、冷風と温風との混合割合に局所的な変化が生じてしまう。これにより、車両内部に吹き出される風の温度分布に偏りが生じてしまう場合がある。
【０００４】
このような空気の漏れの抑制を志向した技術の一例として、下記特許文献１に記載されたものが知られている。特許文献１に記載された車両用空調装置では、板状のエアミックスドア（エアミックスダンパ）の周縁が、空調ケースの内側に一体に成形されたシール壁に当接することで、当該エアミックスドアによるヒータコア側とエバポレータ側との間のシール性が高められるとされている。
【先行技術文献】
【特許文献】
【０００５】
【特許文献１】特開２００４−４２６８６号公報
【発明の概要】
【発明が解決しようとする課題】
【０００６】
ここで、上記特許文献１に記載された装置では、エアミックスドアの回転軸の近傍に、可動範囲を妨げないように隙間が形成されている。したがって、エアミックスドアの周縁におけるシール性は高められる一方で、上記の隙間を通過してヒータコア側とエバポレータ側との間で空気の漏れが生じてしまう。漏れが生じた領域では、冷風と温風とが不用意に混ざり合うため、車両の居住空間内に風を供給する際に、当該空間内における風の温度分布に偏りが生じる可能性がある。これにより、空調機としての見かけ上の効率が低下する懸念がある。
【０００７】
本発明は上記課題を解決するためになされたものであって、十分な効率を発揮することができる車両用空調装置を提供することを目的とする。
【課題を解決するための手段】
【０００８】
本発明の第一の態様によれば、車両用空調装置は、軸線方向に延びて該軸線方向の端部に挿入軸が形成された回動軸部、及び、該回動軸部から前記軸線の径方向に延びる板状をなす第一ダンパ本体を有するダンパと、内部に前記ダンパが収容されて前記挿入軸が回動可能に挿入される軸受孔が形成された側壁部を有するユニットケースと、を備え、前記回動軸部は、前記軸線の周方向の一部領域のみに設けられて前記挿入軸の基端から径方向外側に張り出す鍔部を有し、前記第一ダンパ本体は、前記周方向一方側を向く第一ダンパ板面、前記周方向他方側を向く第二ダンパ板面、及び、前記鍔部の周方向一方側の端部から径方向外側に向かって延びるとともに前記鍔部と面一をなす第一ダンパ側端面を有し、前記側壁部は、前記鍔部及び前記第一ダンパ側端面が前記軸線方向から当接可能な内側面、該内側面から前記軸線方向に突出して前記軸線の径方向に延びるとともに、前記第一ダンパ本体の前記第一ダンパ板面が前記周方向他方側から当接可能な突条を有し、前記突条の前記径方向内側の端部と前記軸受孔との前記径方向の間隔が、前記鍔部の径方向の寸法よりも小さい。
【０００９】
この構成によれば、突条の径方向内側の端部と軸受孔との径方向の間隔が、鍔部の径方向の寸法よりも小さくなる。これにより、突条の径方向内側の端部と回動軸部との間の間隙から流体が漏れる可能性を低減することができる。
一方で、突条の径方向内側の端部と軸受孔との径方向の間隔が、鍔部の径方向の寸法よりも大きい場合、回動軸部の軸線方向のズレに伴って上記の間隙が大きくなってしまう。これにより、当該間隙を通じて流体が漏れてしまう可能性がある。しかしながら、上記の構成によれば、このような可能性を低減することができる。
【００１０】
本発明の第二の態様によれば、上記第一の態様に係る車両用空調装置では、前記ダンパは、前記第一ダンパ本体に対して前記周方向に離間して設けられて、前記回動軸部から前記軸線の径方向に延びる板状をなす第二ダンパ本体を有し、前記第二ダンパ本体は、前記鍔部の周方向他方側の端部から径方向外側に向かって延びるとともに前記鍔部及び前記第一ダンパ側端面と面一をなす第二ダンパ側端面を有してもよい。
【００１１】
この構成によれば、第二ダンパ本体を設けることで、ダンパの寸法をより大きく確保することができる。したがって、ユニットケース内を流通する流体の流れを変更・案内するに当たって、当該流体の流路の断面積が大きい場合であっても十分に対応することができる。
【００１２】
本発明の第三の態様によれば、上記第一又は第二の態様に係る車両用空調装置では、前記突条は、該突条の前記径方向外側の部分を構成する第一部分と、該突条の前記径方向内側の部分を構成して、前記第一部分からさらに径方向内側に向かうに従って前記周方向の一方側及び他方側のいずれかに向かって延びる第二部分とを有してもよい。
【００１３】
この構成によれば、突条の第二部分によって、突条の径方向内側の端部と軸受孔との径方向の間隔を、鍔部の径方向の寸法よりも小さくすることができる。これにより、突条の径方向内側の端部と回動軸部との間の間隙から流体が漏れる可能性を低減することができる。
【００１４】
本発明の第四の態様によれば、車両用空調装置は、空気を冷却するエバポレータと、空気を加熱するヒータコアと、を備え、前記ユニットケースは、前記エバポレータを収容する冷房空間、該冷房空間に接続されているとともに前記ヒータコアを収容する暖房空間、前記冷房空間及び前記暖房空間に接続されたエアミックス空間が内部に形成され、前記ダンパが、前記ユニットケース内における前記冷房空間、前記暖房空間及びエアミックス空間の間に設けられて、最大冷房位置と最大暖房位置との間で回動することにより前記冷房空間及び前記暖房空間から前記エアミックス空間に導入される空気の割合を調整するエアミックスダンパであってもよい。
【００１５】
この構成によれば、エアミックスダンパとしてのダンパの周囲、特に回動軸部の周囲から流体が漏れる可能性を低減することができる。これにより、ダンパが最大暖房位置、又は最大冷房位置にある時に、暖房空間と冷房空間との間で流体が漏れる可能性を低減することができる。すなわち、車両用空調装置としての効率をさらに向上させることができる。
【発明の効果】
【００１６】
本発明によれば、十分な効率を発揮することができる車両用空調装置を提供することができる。
【図面の簡単な説明】
【００１７】
【図１】本発明の実施形態に係る車両用空調装置の第一軸線方向における断面図である。
【図２】本発明の実施形態に係るエアミックスダンパを第一軸線方向から見た図である。
【図３】本発明の実施形態に係るエアミックスダンパを第一軸線と交差する方向から見た図である。
【図４】本発明の実施形態に係るユニットケースの構成を示す図である。
【図５】本発明の実施形態に係る車両用空調装置の要部拡大図である。
【発明を実施するための形態】
【００１８】
［第一実施形態］
【００１９】
本発明の実施形態について、図面を参照して説明する。図１に示すように、本実施形態に係る車両用空調装置１００は、エバポレータ１及びヒータコア２と、これらを収容するユニットケース３と、ユニットケース３内部の空気の流れを調整するエアミックスダンパ４、フット切替ダンパ５、及びフェイスデフ切替ダンパ６と、を備えている。
なお、図１は、車両用空調装置１００が搭載される車両の走行方向に交差する方向である幅方向から当該車両用空調装置１００を見た断面図である。以下の説明において「断面視」とは、この幅方向からの断面を指す。
【００２０】
エバポレータ１としては、一例として、蒸気圧縮式冷凍サイクルを採用した冷却用熱交換器が用いられる。エバポレータ１内を流れる低圧の冷媒が、当該エバポレータ１の周囲を流れる空気からの吸熱によって蒸発することで、この空気を冷却する。本実施形態では、エバポレータ１は厚肉板状に形成されている。
【００２１】
ヒータコア２としては、不図示の車両用のエンジン等からの温水（エンジン冷却水）により空気を加熱する温水式の加熱用熱交換器が用いられる。ヒータコア２の周囲を流れる空気に対して、ヒータコア２内を流れる温水からの熱量が与えられることで、この空気を加熱する。本実施形態では、ヒータコア２も、エバポレータ１と同様に、厚肉板状に形成されている。
【００２２】
ユニットケース３は、これらエバポレータ１とヒータコア２とを収容するとともに、内部に空気流路を形成する。より具体的には、このユニットケース３の内側には、冷房空間７と、暖房空間８と、エアミックス空間９１と、フット吹出流路９２と、中継空間９３と、フェイス吹出流路９４と、デフ吹出流路９５（デフロスター吹出流路）と、が形成されている。
【００２３】
冷房空間７には、エバポレータ１が収容される。エバポレータ１は、冷房空間７内を２つの空間に区画している。より具体的には、冷房空間７は、導入空間７１と、冷風供給空間７２と、を有している。エバポレータ１の一方側に形成される空間は、不図示のファン等によって導入された空気が流通する導入空間７１とされている。エバポレータ１の他方側の空間（エバポレータ１を挟んで導入空間７１とは反対側に形成される空間）は、エバポレータ１によって冷却された空気が流通する冷風供給空間７２とされている。すなわち、導入空間７１内の空気は、ファンからの送風によってエバポレータ１に接触することで冷却されて、冷風供給空間７２内に流入する。冷風供給空間７２の出口は、冷風吐出口７３とされている。
【００２４】
暖房空間８には、ヒータコア２が収容される。さらに、暖房空間８は、後述するエアミックス空間９１の一部を介して冷房空間７と互いに連通されている。より具体的には、暖房空間８は上記の冷房空間７に冷風供給空間７２側から対向する位置に設けられている。  ヒータコア２は、暖房空間８内を３つの空間に区画している。暖房空間８は、第二導入空間８１と、温風供給空間８２と、リターン空間８３と、を有している。ヒータコア２を挟んで一方側（すなわち、冷房空間７に向く側）の空間は、上記の冷風供給空間７２から供給された空気が導かれる第二導入空間８１とされている。ヒータコア２の他方側の空間（ヒータコア２を挟んで第二導入空間８１とは反対側に形成される空間）は、ヒータコア２によって加熱された空気が流通する温風供給空間８２とされている。すなわち、第二導入空間８１内の空気は、ヒータコア２に接触することで加熱されて、温風供給空間８２内に流入する。
【００２５】
さらに、暖房空間８内において、ヒータコア２の上側端部と、ユニットケース３の内壁との間には空間が形成されている。この空間は、上記の第二導入空間８１、及び温風供給空間８２を順次通過した空気を、後述のエアミックス空間９１に戻すためのリターン空間８３とされている。リターン空間８３の出口は温風吐出口８４とされている。
【００２６】
以上のように構成された冷房空間７と暖房空間８とは、エアミックス空間９１によって互いに接続されている。エアミックス空間９１内では、冷房空間７で冷却された空気（冷風）と、暖房空間８で加熱された空気（温風）とが混合される。より具体的には、エアミックス空間９１は、冷房空間７の冷風供給空間７２と、暖房空間８の温風供給空間８２とに連通するとともに、おおむね上方に向かって延びる流路である。エアミックス空間９１における冷房空間７側には、当該エアミックス空間９１内を流通する空気を上方に向かって案内する案内隔壁部１０が設けられている。
【００２７】
さらに、エアミックス空間９１には、上記の冷房空間７、及び暖房空間８から導入される空気の混合の割合を調整するエアミックスダンパ４（ダンパ）が設けられている。エアミックスダンパ４は、図２、及び図３に示すように、暖房空間８における温風吐出口８４上で回転可能に支持されている板状の部材である。より具体的には、このエアミックスダンパ４は、車両の幅方向に延びる第一軸線Ａ１（軸線）回りに回動する第一支持部４１（回動軸部）と、この第一支持部４１を挟んで、それぞれ幅方向と交差する平面上に延びるエアミックスダンパ本体４２（第一ダンパ本体）と、再熱防止ダンパ４３（第二ダンパ本体）と、を有している。
【００２８】
第一支持部４１は、円形の断面を有する略棒状の部材である。第一支持部４１における第一軸線Ａ１方向の端部には、ユニットケース３の側壁部３０における内側面３０Ａに形成された軸受孔Ｈに挿入される挿入軸４１Ｓが形成されている。さらに、第一支持部４１の外周側には、鍔部４１Ｂが設けられている。鍔部４１Ｂは、上記の挿入軸４１Ｓの基端から第一軸線Ａ１に対する径方向外側に向かって張り出している。さらに、この鍔部４１Ｂは、第一軸線Ａ１に対する周方向の一部領域のみに設けられている。言い換えれば、第一支持部４１の外周面のうち、鍔部４１Ｂが設けられていない領域は、第一軸線Ａ１に対する径方向外側に露出している。
【００２９】
本実施形態では、第一支持部４１は、温風吐出口８４における上側の端部（第一端部ｔ１）と下側の端部（第二端部ｔ２）とを結ぶ直線上に設けられている。さらに、第一支持部４１は、断面視でヒータコア２の上側端部と上下方向において対応する位置に設けられている。加えて、第一支持部４１から上記の案内隔壁部１０の下側端部（第三端部ｔ３）までの寸法は、第一支持部４１から第二端部ｔ２までの寸法と略同一である。
【００３０】
エアミックスダンパ本体４２は、断面視で第一支持部４１から上記の第二端部ｔ２までの寸法（すなわち、第一支持部４１から案内隔壁部１０の第三端部ｔ３までの寸法）の分だけ延びている。板状をなすエアミックスダンパ本体４２の厚さ方向両面のうち、第一軸線Ａ１に対する周方向一方側を向く面は、第一ダンパ板面４２Ａとされ、周方向他方側を向く面は、第二ダンパ板面４２Ｂとされている。さらに、これら第一ダンパ板面４２Ａと第二ダンパ板面４２Ｂとをつなぐ面であって、ユニットケース３の側壁部３０（内側面３０Ａ）に対向する面は、第一ダンパ側端面４２Ｃとされている。この第一ダンパ側端面４２Ｃは、上記の鍔部４１Ｂの周方向一方側の端部から径方向外側に向かって延びるとともに、当該鍔部４１Ｂと面一をなしている。
【００３１】
一方で、再熱防止ダンパ４３は、第一支持部４１を挟んでエアミックスダンパ本体４２とはおおむね反対の方向に延びている。すなわち、再熱防止ダンパ４３は、エアミックスダンパ４に対して、第一軸線Ａ１の周方向に離間して設けられている。再熱防止ダンパ４３は、エアミックスダンパ本体４２の延びる平面を基準として、エアミックス空間９１側に偏った方向に延びている。再熱防止ダンパ４３も、エアミックスダンパ本体４２と同様に、第一支持部４１から第一軸線Ａ１の径方向に延びる板状をなしている。さらに、再熱防止ダンパ４３の周方向両面をつなぐ面であって、ユニットケース３の側壁部３０（内側面３０Ａ）に対向する面は、第二ダンパ側端面４３Ｃとされている。この第二ダンパ側端面４３Ｃは、上記の鍔部４１Ｂの周方向他方側の端部から第一軸線Ａ１に対する径方向外側に向かって延びるとともに、鍔部４１Ｂ及び第一ダンパ側端面４２Ｃと面一をなしている。
【００３２】
加えて、図２又は図３に示すように、エアミックスダンパ本体４２における第一ダンパ板面４２Ａ上には、第一軸線Ａ１に対する径方向と周方向とに交差する面内に沿って延びる複数のリブ４４が設けられている。本実施形態では、３つのリブ４４が、第一ダンパ板面４２Ａ上で、第一軸線Ａ１の延びる方向に間隔をあけて配列されている。それぞれのリブ４４は、図２に示すように、第一軸線Ａ１の延びる方向から見て略矩形状をなしている。
【００３３】
さらに図３に示すように、エアミックスダンパ本体４２、及び再熱防止ダンパ４３の周縁部であって、周方向両側を向く面には、弾性部材としてのスポンジシール４５が取り付けられている。このスポンジシール４５は、エアミックスダンパ本体４２、及び再熱防止ダンパ４３が他の部材と当接する際の緩衝作用を発揮するとともに、当該他の部材との間における流体の漏れをシールするために設けられる。
【００３４】
以上のように構成されたエアミックスダンパ４は、図１中の実線に示す位置（最大冷房位置Ｐｃ）と、同図中の破線で示す位置（最大暖房位置Ｐｈ）との間で回動可能とされている。最大冷房位置Ｐｃでは、エアミックスダンパ本体４２の先端部（第一支持部４１とは反対側の端部）は、温風吐出口８４の第二端部ｔ２に対してエアミックス空間９１側から当接する。同時に、再熱防止ダンパ４３は、第一支持部４１から温風吐出口８４の第一端部ｔ１に対して概ね上下方向から対向する位置で保持される。これにより、最大冷房位置Ｐｃでは、エアミックスダンパ本体４２によって冷房空間７と暖房空間８とが区画されるとともに、冷房空間７とエアミックス空間９１とが連通される。さらに、このとき、エアミックスダンパ４とフット切替ダンパ５の先端同士の間には、おおむね上下方向に隙間が形成されている。
【００３５】
一方で、最大暖房位置Ｐｈでは、エアミックスダンパ本体４２の先端部は、案内隔壁部１０の第三端部ｔ３に対してエアミックス空間９１側から当接する。同時に、再熱防止ダンパ４３は、ヒータコア２の上端部にリターン空間８３側から当接する。これにより、冷房空間７と暖房空間８とが連通されるとともに、暖房空間８とエアミックス空間９１とがリターン空間８３を介して連通される。
【００３６】
ここで、図４に示すように、ユニットケース３には、上記の最大冷房位置Ｐｃでエアミックスダンパ本体４２の第一ダンパ板面４２Ａと当接可能な突条３１と、最大暖房位置Ｐｈでエアミックスダンパ本体４２の第二ダンパ板面４２Ｂと当接可能な当接部３２とが設けられている。突条３１は、ユニットケース３の内側面３０Ａ上から第一軸線Ａ１方向に突出している。さらに、突条３１は、第一軸線Ａ１の径方向に延びている。より具体的には、本実施形態では、突条３１は、第一軸線Ａ１に対する径方向成分を含む方向に延びている。言い換えれば、突条３１は、第一軸線Ａ１の径方向に対してわずかに角度をなしていてもよい。
【００３７】
さらに、突条３１は、第一軸線Ａ１に対する径方向外側の部分を構成する第一部分３１Ａと、径方向内側の部分を構成する第二部分３１Ｂとを有している。第二部分３１Ｂは、第一部分３１Ａが延びる方向に対してわずかに角度をなして屈曲している。すなわち、第二部分３１Ｂは、第一部分３１Ａからさらに径方向内側に向かうに従って周方向他方側に向かって延びている。
【００３８】
さらに図５に示すように、この第二部分３１Ｂの径方向内側の端部は、第一支持部４１の外周面（軸受孔Ｈの周縁）に対して、径方向にわずかな間隔ｄ１をあけて対向している。第一軸線Ａ１に対する径方向から見て、この間隔ｄ１の寸法は、同じく径方向における鍔部４１Ｂの寸法よりも小さい。言い換えれば、間隔ｄ１の寸法は、鍔部４１Ｂの径方向における厚みよりも小さい。
【００３９】
当接部３２は、上記の突条３１に対して、第一軸線Ａ１の周方向に離間した位置に設けられている。具体的には、当接部３２は突条３１と同様に、ユニットケース３の内側面３０Ａから第一軸線Ａ１方向に突出するとともに、第一軸線Ａ１の径方向に延びている。
【００４０】
エアミックスダンパ４が最大冷房位置Ｐｃにある時には、上記の突条３１に対して、エアミックスダンパ本体４２の第一ダンパ板面４２Ａが、上記のスポンジシール４５を介して第一軸線Ａ１の周方向他方側から当接する。一方で、エアミックスダンパ本体４２が最大暖房位置Ｐｈにある時には、上記の当接部３２に対して、エアミックスダンパ本体４２の第二ダンパ板面４２Ｂが、スポンジシール４５を介して第一軸線Ａ１の周方向一方側から当接する。言い換えると、突条３１及び当接部３２によって、第一支持部４１の回動角度範囲θ１が規定される。
【００４１】
さらに、第一支持部４１における鍔部４１Ｂが形成されていない領域の角度範囲（第一軸線Ａ１を中心とした角度範囲）は、上記の第一支持部４１の回動角度範囲θ１と一致している。すなわち、第一支持部４１が回動する際に、鍔部４１Ｂと突条３１、及び当接部３２は、互いに干渉することがない。
【００４２】
エアミックス空間９１内において、上記の案内隔壁部１０に対して走行方向からおおむね対向する領域（すなわち、暖房空間８の上方）には、ユニットケース３の内壁によってフット吹出流路９２が形成されている。このフット吹出流路９２は、車両の内部で搭乗者の足元に空気を送るためのフット吹出口（不図示）と連通されている。
【００４３】
フット吹出流路９２の端部（エアミックス空間９１側の端部）は、エアミックス空間９１からの空気を導入するためのフット導入口Ｅ１とされている。フット導入口Ｅ１は断面視でおおむね上下方向に広がる開口である。フット導入口Ｅ１の上側の端部は第五端部ｔ５とされ、下側の端部は第六端部ｔ６とされている。
【００４４】
このフット導入口Ｅ１には、フット切替ダンパ５が設けられている。フット切替ダンパ５は、フット導入口Ｅ１上で回転可能に支持されている板状の部材である。より具体的には、フット切替ダンパ５は、車両の幅方向に延びる第二軸線Ａ２回りに回動する第二支持部５１と、この第二支持部５１を挟んで幅方向と交差する平面上に延びるフット切替ダンパ本体５２と、を有している。フット切替ダンパ本体５２は、フット導入口Ｅ１の第五端部ｔ５から第六端部ｔ６までの寸法の分だけ延びている。さらに、フット切替ダンパ本体５２は、第二支持部５１から上記の案内隔壁部１０の上側の端部（第四端部ｔ４）までの寸法の分だけ延びている。言い換えると、第二支持部５１（第二軸線Ａ２）から第四端部ｔ４までの寸法と、第二支持部５１から第六端部ｔ６までの寸法は略同一である。
【００４５】
以上のように構成されたフット切替ダンパ５は、図１中の実線に示す位置（閉塞位置Ｐｓ）と、同図中の破線で示す位置（連通位置Ｐｔ）との間で回動可能とされている。閉塞位置Ｐｓでは、フット切替ダンパ本体５２の両端部は、フット吹出流路９２の第五端部ｔ５、及び第六端部ｔ６に対して当接する。これにより、閉塞位置Ｐｓでは、フット切替ダンパ本体５２によってエアミックス空間９１とフット吹出流路９２とが区画されるとともに、エアミックス空間９１とフット吹出流路９２とが連通される。
【００４６】
一方で、連通位置Ｐｔでは、フット切替ダンパ本体５２の端部は、案内隔壁部１０の第四端部ｔ４に対してエアミックス空間９１側から当接する。これにより、エアミックス空間９１と後述の中継空間９３とが区画されるとともに、エアミックス空間９１とフット吹出流路９２とが連通される。
【００４７】
エアミックス空間９１の上側には、さらに他の空間が形成されている。この空間は、中継空間９３とされている。中継空間９３は、エアミックス空間９１から供給された空気を、後述するデフ吹出流路９５と、フェイス吹出流路９４とに向けて分配するための空間である。
【００４８】
フット導入口Ｅ１に対して走行方向からおおむね対向する領域（すなわち、冷房空間７の上方であって、中継空間９３と連通される領域）には、ユニットケース３の内壁によってデフ吹出流路９５が形成されている。このデフ吹出流路９５は、車両の内側からウインドシールド（フロントウインドウ）に向けてデフロスト（除霜）用の空気を送るためのデフロスター吹出口（不図示）と連通されている。
【００４９】
デフ吹出流路９５の端部（中継空間９３側の端部）は、中継空間９３からの空気を導入するためのデフ導入口Ｅ２とされている。デフ導入口Ｅ２は断面視でおおむね上下方向に広がる開口である。デフ導入口Ｅ２の上側の端部は第七端部ｔ７とされ、下側の端部は第八端部ｔ８とされている。
【００５０】
このデフ導入口Ｅ２には、フェイスデフ切替ダンパ６が設けられている。フェイスデフ切替ダンパ６は、デフ導入口Ｅ２上で回転可能に支持されている板状の部材である。より具体的には、フェイスデフ切替ダンパ６は、車両の幅方向に延びる第三軸線Ａ３回りに回動する第三支持部６１と、この第三支持部６１から幅方向と交差する平面上に延びるフェイスデフ切替ダンパ本体６２と、を有している。フェイスデフ切替ダンパ本体６２は、デフ導入口Ｅ２の第七端部ｔ７から第八端部ｔ８までの寸法の分だけ延びている。
【００５１】
さらに、フェイスデフ切替ダンパ本体６２は、第三支持部６１からフット導入口Ｅ１の第五端部ｔ５までの寸法の分だけ延びている。言い換えると、第三支持部６１（第三軸線Ａ３）から第五端部ｔ５までの寸法と、第三支持部６１から第八端部ｔ８までの寸法は略同一である。
【００５２】
中継空間９３の上側には、さらに他の空間が形成されている。この空間は、フェイス吹出流路９４とされている。フェイス吹出流路９４は、中継空間９３から供給された空気を取り込んで、車両の居住空間内に設けられたフェイス吹出口（不図示）に送るための流路である。フェイス吹出口は、主に搭乗者の上半身に向けて冷風又は温風を送るために設けられる。
【００５３】
フェイスデフ切替ダンパ６は、図１中の実線で示すフェイス位置Ｐｆと、同図中の破線で示すデフ位置Ｐｄとの間で回動可能とされている。フェイス位置Ｐｆでは、フェイスデフ切替ダンパ本体６２の先端部は、デフ導入口Ｅ２の第八端部ｔ８に対して中継空間９３側から当接する。これにより、デフ吹出流路９５と中継空間９３とが区画されるとともに、中継空間９３とフェイス吹出流路９４とが連通される。
【００５４】
一方で、デフ位置Ｐｄでは、フェイスデフ切替ダンパ本体６２の先端部は、フット導入口Ｅ１の第五端部ｔ５に対して中継空間９３側から当接する。これにより、デフ吹出流路９５と中継空間９３とが連通されるとともに、中継空間９３とフェイス吹出流路９４とが区画される。
【００５５】
以上のような構成のもとで、エアミックスダンパ４、フット切替ダンパ５、及びフェイスデフ切替ダンパ６をそれぞれ回動させることにより、冷房空間７からの冷風と暖房空間８からの温風との混合の割合が調整されるとともに、各流路（フット吹出流路９２、デフ吹出流路９５、及びフェイス吹出流路９４）への空気の分配状態が切り替えられる。
【００５６】
まず、車両用空調装置１００を冷房運転する場合（最大冷房運転時）について説明する。最大冷房時には、図１中の実線で示すように、エアミックスダンパ４が上述の最大冷房位置Ｐｃで保持される。より具体的には、エアミックスダンパ本体４２の先端部が、温風吐出口８４の第二端部ｔ２に当接した状態で保持されるとともに、再熱防止ダンパ４３の先端部が、温風吐出口８４の第一端部ｔ１に対して上下方向に対向した状態で保持される。
【００５７】
以上により、冷房空間７と暖房空間８とがエアミックスダンパ４によって区画されるとともに、冷房空間７とエアミックス空間９１とが連通される。このような状態で、不図示のファンから冷房空間７内に向けて空気が送られる。冷房空間７内に導入された空気は、導入空間７１側からエバポレータ１に接触することで吸熱されて冷風となる。この冷風は、ファンからの送風によって、冷房空間７（冷風供給空間７２）と連通されたエアミックス空間９１に流入する。さらに、エアミックス空間９１から上方に流通した後、フット切替ダンパ５、及びフェイスデフ切替ダンパ６の位置に応じて、フェイス吹出流路９４、デフ吹出流路９５、及びフット吹出流路９２のいずれか１つに向かって導かれる。
【００５８】
具体的には、フット切替ダンパ５が図１中の実線で示す閉塞位置Ｐｓにある時には、フット切替ダンパ本体５２によってエアミックス空間９１とフット吹出流路９２とが区画されるとともに、エアミックス空間９１とフット吹出流路９２とが連通される。これにより、冷房空間７から供給された冷風は、フット吹出流路９２には流れずに、中継空間９３に向かって流れる。中継空間９３に流れた空気は、フェイスデフ切替ダンパ６の位置（フェイス位置Ｐｆ、又はデフ位置Ｐｄ）に応じて、フェイス吹出流路９４、及びデフ吹出流路９５の一方に向かって流れる。
【００５９】
フット切替ダンパ５が閉塞位置Ｐｓにあるとともに、フェイスデフ切替ダンパ６がフェイス位置Ｐｆにある場合には、中継空間９３内を流通する空気は、フェイス吹出流路９４に向かって流れる。一方で、フェイスデフ切替ダンパ６がデフ位置Ｐｄにある場合には、中継空間９３内を流通する空気は、デフ吹出流路９５に向かって流れる。
【００６０】
続いて、車両用空調装置１００を暖房運転する場合（最大暖房運転時）について説明する。最大暖房時には、図１中の破線で示すように、エアミックスダンパ４が上述の最大暖房位置Ｐｈで保持される。より具体的には、エアミックスダンパ本体４２の先端部は、案内隔壁部１０の第三端部ｔ３に対してエアミックス空間９１側から当接する。同時に、再熱防止ダンパ４３は、ヒータコア２の上端部にリターン空間８３側から当接する。
【００６１】
以上により、冷房空間７と暖房空間８とが連通されるとともに、暖房空間８とエアミックス空間９１とがリターン空間８３を介して連通される。このような状態で、不図示のファンから冷房空間７内に向けて空気が送られる。冷房空間７内に導入された空気は、ファンからの送風によって、冷房空間７と連通された暖房空間８に第二導入空間８１側から流入する。暖房空間８内でヒータコア２に接触して熱を受け取ることでこの空気は温風となる。さらに、この温風は、暖房空間８（温風供給空間８２）に沿って上方に向かって流れた後、リターン空間８３を経て、このリターン空間８３と連通されたエアミックス空間９１に流入する。
【００６２】
エアミックス空間９１に流入した温風は、さらに上方に向かって流通した後、上記したように、フット切替ダンパ５、及びフェイスデフ切替ダンパ６の位置に応じて、フェイス吹出流路９４、デフ吹出流路９５、及びフット吹出流路９２のいずれか１つに向かって流れる。
【００６３】
なお、エアミックスダンパ４は、上記した最大冷房位置Ｐｃ、及び最大暖房位置Ｐｈの間で自在に回動できる。すなわち、エアミックスダンパを、この最大冷房位置Ｐｃと最大暖房位置Ｐｈとの間における中途位置で保持することで、冷風と温風との混合の割合が適宜に調整される。より詳細には、エアミックスダンパ４を最大冷房位置Ｐｃに偏った位置に保持した場合、比較的に低温の空気を車両の内部に供給することができる。一方で、エアミックスダンパ４を最大暖房位置Ｐｈに偏った位置に保持した場合、比較的に高温の空気を車両の内部に供給することができる。
【００６４】
ところで、上述した最大暖房運転時には、熱効率の向上（暖房効率の向上）と、車両内部における温度分布の均一化とを図る上で、ヒータコア２とエバポレータ１との間における不用意な流体の往来を抑制する必要がある。すなわち、ヒータコア２からの熱量が、エバポレータ１によって冷却された空気（冷風）によって奪われてしまう可能性を低減する必要がある。特に、上述したエアミックスダンパ４の第一支持部４１の周囲では、当該第一支持部４１の可動範囲の確保と、流体の漏れの抑制とが求められる。
【００６５】
そこで、本実施形態に係る車両用空調装置１００では、上述した突条３１の第二部分３１Ｂによって、第一支持部４１の周囲における流体の流れ（漏れ）を遮っている。具体的には、突条３１（第二部分３１Ｂ）の径方向内側の端部は、第一支持部４１の外周面（軸受孔Ｈの周縁）に対して、径方向にわずかな間隔ｄ１をあけて対向している。第一軸線Ａ１に対する径方向から見て、この間隔ｄ１の寸法は、同じく径方向における鍔部４１Ｂの寸法よりも小さい（図５参照）。
【００６６】
このような構成によれば、突条３１の径方向内側の端部と軸受孔Ｈとの径方向の間隔が、鍔部４１Ｂの径方向の寸法よりも小さくなる。これにより、突条３１の径方向内側の端部と回動軸部との間の間隙から流体が漏れる可能性を低減することができる。
一方で、突条３１の径方向内側の端部と軸受孔Ｈとの径方向の間隔が、鍔部４１Ｂの径方向の寸法よりも大きい場合、回動軸部の軸線方向のズレに伴って上記の間隙が大きくなってしまう。これにより、当該間隙を通じて流体が漏れてしまう可能性がある。しかしながら、上記の構成によれば、このような可能性を低減することができる。
【００６７】
さらに、第一支持部４１の周囲における流体（空気）の漏れを低減できることから、第一軸線Ａ１方向における空気の温度分布を均一化することができる。ここで、エアミックスダンパ４の第一軸線Ａ１方向の両側で空気の漏れが生じた場合、車両の幅方向両側に位置する吹出口から供給される風は、冷房空間７からの冷風が混ざることで、他の吹出口（幅方向中央に位置する吹出口）から供給される風に比べて、低温となってしまう可能性がある。すなわち、車両の幅方向（第一軸線Ａ１方向）で、風の温度分布に偏りが生じてしまう可能性がある。
【００６８】
しかしながら、本実施形態では、上記幅方向両側に位置するユニットケース３の内側面３０Ａに設けられた突条３１（第二部分３１Ｂ）によって、第一支持部４１の幅方向両側からの空気の漏れが抑制されている。これにより、空気の温度分布を均一化することができる。すなわち、車両用空調装置１００の効率を十分に向上させることができる。
【００６９】
特に、本実施形態では、突条３１の第二部分３１Ｂは、第一部分３１Ａに対して、第一軸線Ａ１の周方向に角度をなしている（屈曲している）。このような構成によれば、第一部分３１Ａの延びる方向に関わらず、第二部分３１Ｂを軸受孔Ｈ（第一軸線Ａ１）の径方向に延ばすことができる。すなわち、径方向における第二部分３１Ｂの寸法を可能な限り小さくした上で、上述のように空気の漏れを抑制することができる。一方で、第二部分３１Ｂの径方向における寸法が上記よりも大きい場合、第一支持部４１の回動に伴って当該第二部分３１Ｂが他の部材と干渉する可能性がある。すなわち、第一支持部４１の回動角度範囲が制限されてしまう可能性がある。しかしながら、本実施形態では第二部分３１Ｂを第一部分３１Ａに対して屈曲させることで最小化しているため、このような干渉が生じる可能性を低減することができる。
【００７０】
さらに、上述の構成によれば、第二ダンパ本体としての再熱防止ダンパ４３を設けることで、ダンパ全体の寸法をより大きく確保することができる。したがって、ユニットケース３内を流通する流体の流れを変更・案内するに当たって、当該流体の流路の断面積が大きい場合であっても十分に対応することができる。
【００７１】
加えて、上述の構成によれば、鍔部４１Ｂが形成されていない領域の角度範囲が、回動軸部の回動角度範囲と一致する。これにより、回動軸部としての第一支持部４１が回動する際に、鍔部４１Ｂと突条３１、及び当接部３２との干渉を防ぐことができる。すなわち、上記の構成によれば、第一支持部４１の周囲からの流体の漏れを抑制することができるとともに、第一支持部４１の回動角度範囲を十分に大きく確保することができる。
【００７２】
以上、本発明の実施形態について図面を参照して説明した。本発明の要旨を逸脱しない限りにおいて上記の構成に対して種々の変更や改修を加えることが可能である。
【００７３】
例えば、上記の実施形態では、突条３１の第二部分３１Ｂが、第一軸線Ａ１の径方向外側から内側に向かうに従って、周方向の他方側に向かって延びている例に基づいて説明した。しかしながら、第二部分３１Ｂの態様はこれに限定されない。すなわち、上記とは反対に、突条３１の第二部分３１Ｂは、第一軸線Ａ１の径方向外側から内側に向かうに従って、周方向の一方側に向かって延びていてもよい。
【００７４】
さらに、上記の実施形態では、車両用空調装置１００が車両の幅方向に配置されることとした。しかしながら、車両用空調装置１００の配置される方向や姿勢は上記実施形態によっては限定されず、設計や仕様に応じて適宜に変更することが可能である。
【００７５】
加えて、上記の実施形態では、エアミックス空間９１に連通する流路として、フェイス吹出流路９４、デフ吹出流路９５、及びフット吹出流路９２を備える構成に基づいて説明した。しかしながら、これら流路の態様は上記実施形態によっては限定されない。例えば上記の各流路に加えて、車両の後部座席等に向けて空気を送る他の流路等を備えていてもよい。
【００７６】
さらに加えて、これら流路、及び各ダンパの延びる方向や寸法、各部の相対的な位置関係は、上記実施形態によっては限定されず、設計や仕様に応じて適宜変更されてよい。
【符号の説明】
【００７７】
１…エバポレータ  ２…ヒータコア  ３…ユニットケース  ４…エアミックスダンパ  ５…フット切替ダンパ  ６…フェイスデフ切替ダンパ  ７…冷房空間  ８…暖房空間  １０…案内隔壁部  ３０…側壁部  ３０Ａ…内側面  ３１…突条  ３２…当接部  ３１Ａ…第一部分  ３１Ｂ…第二部分  ４１…第一支持部  ４１Ｂ…鍔部  ４１Ｓ…挿入軸  ４２…エアミックスダンパ本体  ４２Ａ…第一ダンパ板面  ４２Ｂ…第二ダンパ板面  ４２Ｃ…第一ダンパ側端面  ４３…再熱防止ダンパ  ４３Ｃ…第二ダンパ側端面  ４４…リブ  ４５…スポンジシール  ５１…第二支持部  ５２…フット切替ダンパ本体  ６１…第三支持部  ６２…フェイスデフ切替ダンパ本体  ７１…導入空間  ７２…冷風供給空間  ７３…冷風吐出口  ８１…第二導入空間  ８２…温風供給空間  ８３…リターン空間  ８４…温風吐出口  ９１…エアミックス空間  ９２…フット吹出流路  ９３…中継空間  ９４…フェイス吹出流路  ９５…デフ吹出流路  １００…車両用空調装置  Ａ１…第一軸線  Ａ２…第二軸線  Ａ３…第三軸線  Ｅ１…フット導入口  Ｅ２…デフ導入口  Ｈ…軸受孔  Ｐｃ…最大冷房位置  Ｐｄ…デフ位置  Ｐｆ…フェイス位置  Ｐｈ…最大暖房位置  Ｐｓ…閉塞位置  Ｐｔ…連通位置  ｔ１…第一端部  ｔ２…第二端部  ｔ３…第三端部  ｔ４…第四端部  ｔ５…第五端部  ｔ６…第六端部  ｔ７…第七端部  ｔ８…第八端部
【図１】
2020011732.tif 000003
【図２】
2020011732.tif 000004
【図３】
2020011732.tif 000005
【図４】
2020011732.tif 000006
【図５】
2020011732.tif 000007